(57)【要約】【課題】箱状の充填部材を用いた場合に、効果的に水平方向の強度を高くすることの可能な雨水貯留槽充填構造、及び、この雨水貯留槽充填構造を用いた雨水貯留槽を提供する。【解決手段】雨水貯留槽１０の充填構造体１８は、箱形ブロック３０を複数並べた下段ブロック群６０及び上段ブロック群６２を、水平補強部材５０を挟んで積層して構成されている。水平補強部材５０の板面部５２には、板面の各々の側から突出される、外周リブ５４、及び、補強リブ５６が形成されている。補強リブ５６は、平面視で外周部５６Ａが箱形ブロック３０の開口部３４に沿った形状とされており、外周部５６Ａの内側に、奥行方向Ｗに延びる複数の直線状のリブと、幅方向Ｌに延びる複数の直線状のリブとで格子状に形成されている。補強リブ５６は、奥行方向Ｗ及び幅方向Ｌにおいて、外周部５６Ａの一方側から対向する他方側へ架けて連続する形状とされている。【選択図】図５
2012052349.tif 000002
【特許請求の範囲】
【請求項１】
一面に開口部が構成されると共に前記開口部の対向面が箱底部とされ側面の外周に箱内側へ入り込んだ入江部が形成された箱形ブロックの、前記開口部を上向きに複数並べて構成された下段ブロック群と、
前記箱形ブロックの前記開口部を下向きに複数並べて構成された上段ブロック群と、
前記上段ブロック群と前記下段ブロック群との間に配置され、板状とされた板面部に前記上段ブロック群及び下段ブロック群の開口部が両側から当接されると共に前記開口部の当接位置に対応する部分の箱内側一端から他端に架けて前記板面部の板面から突出した補強リブが形成された水平補強部材と、
を備えた雨水貯留槽充填構造。
【請求項２】
前記補強リブは、格子状に形成されていること、を特徴とする請求項１に記載の雨水貯留槽充填構造
【請求項３】
隣り合う前記水平補強部材同士を連結する水平連結具を備えた、請求項１または請求項２に記載の雨水貯留槽充填構造。
【請求項４】
地面に形成された凹状のピットの内表面を覆うように敷設された遮水シートと、
請求項１〜３のいずれか１項に記載の雨水貯留槽充填構造を上下方向に複数積層して構成され、前記遮水シートを介してピット内に配置される充填構造体と、
を有する雨水貯留槽。
【請求項５】
上下方向に複数積層される前記雨水貯留槽充填構造の隣接する箱底部同士を連結する上下連結具を備えた、請求項４に記載の雨水貯留槽。
【発明の詳細な説明】
【技術分野】
【０００１】
本発明は、雨水を貯留又は地中に浸透させる等のために用いられる雨水貯留槽、及び、雨水貯留槽を構成する雨水貯留槽充填構造に関する。
【背景技術】
【０００２】
近年、特に都市部や工場地帯での地層における保水力低下を補うために、地下に多量の雨水を貯留し、この雨水を序々に地層中へ浸透させる設備や、一旦、貯留した多量の雨水を十分な時間をかけて河川等へ放流する設備や、貯留した雨水を汲み上げて防火水等として使用する設備（これらの設備を包括して「雨水貯留槽」という。）などの開発が進んでいる。
【０００３】
このような雨水貯留槽としては、例えば、特許文献１に記載されたものが知られている。特許文献１には、箱形の充填部材の開口部分を下側にして並べ、地下貯水システムを構成する技術が開示されている。このように、箱形の充填部材を用いた場合、水平方向の土圧により充填部材の開口部分が潰れやすいという問題があった。
【０００４】
そこで、特許文献２では、水平方向の補強を行うために、平板状補強材を用いている。特許文献２の補強材は、補強材の上下面に凹部を設けて充填部材を係合させており、凹部以外の部分を充填された板、または、格子状の板としている。このように、補強材を用いることにより、水平方向の強度を高めることができる。しかしながら、補強材の凹部以外の部分を格子状の板とすると、鉛直方向の強度が低下してしまう。また、凹部以外の部分を充填された板とすると、充填部材の材料を多く必要とする。
【先行技術文献】
【特許文献】
【０００５】
【特許文献１】特開２００８−２２３４１８号公報
【特許文献２】特開２００２−２３５３６１公報
【発明の概要】
【発明が解決しようとする課題】
【０００６】
本発明は、上記事実を考慮して成されたものであり、箱状の充填部材を用いた場合に、効果的に水平方向の強度を高くすることの可能な雨水貯留槽充填構造、及び、この雨水貯留槽充填構造を用いた雨水貯留槽を提供することを目的とする。
【課題を解決するための手段】
【０００７】
上記課題を解決するため、請求項１に係る雨水貯留槽充填構造は、一面に開口部が構成されると共に前記開口部の対向面が箱底部とされ側面の外周に箱内側へ入り込んだ入江部が形成された箱形ブロックの、前記開口部を上向きに複数並べて構成された下段ブロック群と、前記箱形ブロックの前記開口部を下向きに複数並べて構成された上段ブロック群と、前記上段ブロック群と前記下段ブロック群との間に配置され、板状とされた板面部に前記上段ブロック群及び下段ブロック群の開口部が両側から当接されると共に前記開口部の当接位置に対応する部分の箱内側一端から他端に架けて前記板面部の板面から突出した補強リブが形成された水平補強部材と、を備えている。
【０００８】
請求項１に係る雨水貯留槽充填構造では、下段ブロック群と上段ブロック群との間に、水平補強部材が配置されている。水平補強部材は、板状とされた板面部を有し、この板面部に上段ブロック群及び下段ブロック群の開口部が両側から当接される。そして、開口部の当接位置に対応する部分の箱内側一端から他端に架けて、板面部の板面から突出した補強リブが形成されている。
【０００９】
このように、補強リブを箱形ブロックの開口部の当接位置の箱内側の一端から他端に架けて形成することにより、補強リブによって開口部の対向面が支持され、水平方向の強度を高くすることができる。また、水平補強部材の、開口部の外側に対応する部分から外側は、板状とされているので、格子状の場合と比較して、開口部が当接されている部分の鉛直方向の強度も維持することができる。また、水平補強部材の、全体の厚みを厚くすることなく、効果的に補強リブにより、補強することができる。
【００１０】
請求項２に係る雨水貯留槽充填構造は、前記補強リブが、格子状に形成されていること、を特徴とする。
【００１１】
このように、補強リブを格子状に形成することにより、バランスよく、開口部の水平方向を補強することができる。
【００１２】
請求項３に係る雨水貯留槽充填構造は、隣り合う前記水平補強部材同士を連結する水平連結具を、さらに備えている。
【００１３】
このように、水平連結具を用いて隣り合う前記水平補強部材同士を連結することにより、充填部材同士の連結を強化することができる。
【００１４】
請求項４に係る雨水貯留槽は、地面に形成された凹状のピットの内表面を覆うように敷設された遮水シートと、請求項１〜３のいずれか１項に記載の雨水貯留槽充填構造を上下方向に複数積層して構成され、前記遮水シートを介してピット内に配置される充填構造体と、を有する。
【００１５】
請求項４の雨水貯留槽によれば、請求項１〜３のいずれか１項に記載の雨水貯留槽充填構造が用いられているので、地面に形成された凹状のピット、すなわち、地面に形成された凹みに、遮水シートを介して充填された充填構造体について、水平方向の強度を向上させることができる。
【００１６】
請求項５に係る雨水貯留槽は、上下方向に複数積層される前記雨水貯留槽充填構造の隣接する箱底部同士を連結する上下連結具を備えている。
【００１７】
請求項５の雨水貯留槽によれば、上下連結具により、上下に隣接する下段ブロック群と上段ブロック群の充填部材の箱底部同士が連結されるので、積層される雨水貯留槽充填構造の上下方向の連結を強化することができる。
【発明の効果】
【００１８】
以上説明したように、本発明の雨水貯留槽充填構造によれば、水平補強部材の補強リブによって開口部の対向面が支持され、水平方向の強度を高くすることができる。また、水平補強部材の、開口部の外側に対応する部分から外側は、板状とされているので、格子状の場合と比較して、開口部が当接されている部分の鉛直方向の強度も維持することができる。また、水平補強部材の、全体の厚みを厚くすることなく、効果的に補強リブにより、補強することができる。
【図面の簡単な説明】
【００１９】
【図１】本発明の実施形態に係る雨水貯留浸透槽の構成を模式的に示す断面図である。
【図２】図１に示される雨水貯留槽における遮水保護層の構成を示す断面図である。
【図３】本発明の雨水貯留槽に用いられる箱形ブロックの構成を示す底部側からみた斜視図である。
【図４】本発明の雨水貯留槽に用いられる箱形ブロックの構成を示す開口側からみた斜視図である。
【図５】本実施形態における積層される複数の箱形ブロックと水平補強部材との関係を示す斜視図である。
【図６】本発明の雨水貯留槽に用いられる充填構造体の構成の一部を示す斜視図である。
【図７】本実施形態における積層される複数の箱形ブロックと水平補強部材との関係を示す斜視図である。
【図８】上下連結具での連結状態を示す一部断面図である。
【図９】水平連結具での連結状態を示す一部断面図である。
【図１０】積層される複数の箱形ブロックと水平補強部材との関係を示す側面図である。
【図１１】本実施形態に係る、水平補強部材の変形例を示す斜視図である。
【発明を実施するための形態】
【００２０】
以下、本発明の実施形態に係る雨水貯留槽を図面に基づいて説明する。
【００２１】
（雨水貯留槽及び充填構造体の構成）
図１には本発明の実施形態に係る雨水貯留槽が模式的に示されている。図１に示されるように、雨水貯留槽１０は地中Ｆに埋設されるものであり、その付帯設備として流入桝１２及び流出桝１４を備えている。
【００２２】
図１に示される雨水貯留槽１０を設置する際には、先ず、雨水を回収し、貯留する対象となる敷地の地表面から凹状のピットＰを掘り下げ、このピットＰの内表面を遮水保護層１６により隙間なく覆った後、遮水保護層１６により覆われたピットＰ内に略直方体状に形成された所定容積の充填構造体１８を構築する。
【００２３】
次いで、充填構造体１８の頂面側を遮水シート２０により隙間なく覆って、充填構造体１８の外側を遮水保護層１６及び遮水シート２０により密封した後、充填構造体１８が内部に配置されたピットＰを土により埋め戻して充填構造体１８の上側を覆土層２２により覆う。なお、地下に雨水貯留槽１０が設置される敷地では、通常、地表面の大部分がコンクリート、アスファルト等の非浸水性の舗装材により覆われる。
【００２４】
敷地には、雨水貯留槽１０の周辺に鉄筋コンクリート等により容器状に形成された流入桝１２が埋設されると共に、雨水貯留槽１０に隣接して鉄筋コンクリート等により容器状に形成された流出桝１４が埋設される。流入桝１２は、例えば、敷地を所定の面積を有する複数の領域に区画し、その領域毎に流入桝１２を設置し、これらの流入桝１２にそれぞれ雨水が流れ込むようなっている。ここで、雨水貯留槽１０に最も近接した１個乃至複数個の流入桝１２は、通水管２４を通して他の流入桝１２に接続されている。これにより、敷地全体に降った雨水は、雨水貯留槽１０に最も近接した流入桝１２内に一旦、集水される。
【００２５】
流入桝１２は、その側壁部の下端寄りの部位に流入管２６の一端部が接続されると共に、側壁部における流入管２６との接続部の上側にオーバフロー管２８の一端部が接続されている。流入管２６の他端側は、遮水保護層１６を貫通して雨水貯留槽１０内へ連通し、またオーバフロー管２８の他端部は流出桝１４の側壁部の上端寄りの部位に接続されている。
【００２６】
流出桝１４は、その側壁部の下端部にオリフィス管２５の一端部が接続されると共に、側壁部の上端部にオーバフロー管２７の一端部が接続されている。オリフィス管２５及びオーバフロー管２７の他端部は、それぞれ河川、河川等へ繋がった通水管、排水用の暗渠、下水道等の排水経路に繋がっている。ここで、流出桝１４内には、雨水貯留槽１０からオーバフローした雨水が流れ込み、この雨水が一時的に貯留される。またオリフィス管２５は、流出桝１４内から排水経路へ流出する雨水の流量を制限するオリフィスとしての機能を有している。
【００２７】
遮水保護層１６は、図２に示されるように、外側保護マット１６Ａ、遮水シート２０及び内側保護マット１６Ｂからなる３層構造とされている。外側保護マット１６Ａ及び内側保護マット１６Ｂは、それぞれポリエステル短繊維を素材とし、十分な柔軟性を有する不織布により構成されている。外側保護マット１６Ａ及び内側保護マット１６Ｂは、それぞれ応力集中を緩和することにより、土圧及び充填構造体１８の重量に起因する荷重から充填構造体１８及び遮水シート２０を保護する。
【００２８】
雨水貯留槽１０の充填構造体１８は、図３に示される箱形ブロック３０を複数並べた下段ブロック群６０及び上段ブロック群６２（図６参照）を、水平補強部材５０を挟んで積層して構成されている。下段ブロック群６０、上段ブロック群６２、及び、水平補強部材５０の詳細については後述する。
【００２９】
（箱形ブロックの構成）
箱形ブロック３０の成形素材としては、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（Ｆ／１０分）〜１５（Ｆ／１０分）のものがよい。また、これらに充填剤としてカーボンブラックを１〜３％加えて耐光性を高めてもよい。なお、設置場所が高温になる場所ではないため、酸化防止剤は加えなくてもよい。また、不飽和ポリエステルを基材とするＦＲＰを使用してもよい。
【００３０】
箱形ブロック３０は、中空容器状に成形されている。箱形ブロック３０の肉厚は、製品１個当たりの重量及び機械的な強度等を考慮して２ｍｍ〜３ｍｍに設定されている。箱形ブロック３０は、射出成形法によって成形することができる。
【００３１】
図３及び図４に示されるように、箱形ブロック３０は、全体として略直方体の箱状（中空容器状）に形成されている。箱形ブロック３０には、筒体状の側板３２が形成されると共に、この側板３２の底面側を閉止する底板４０が一体的に形成されている。図４に示されるように、箱形ブロック３０は底板４０と対向する箱面が開口されて開口部３４とされており、側板３２の下端部から外周側へ延出するように断面Ｌ字状乃至Ｊ字状の折返部３４Ａが全周に亘って形成されている。ここで、箱形ブロック３０は、平面視で幅方向（矢印Ｌ方向）を長手方向とする略長方形とされており、幅方向に沿った寸法が奥行方向（矢印Ｗ方向）に沿った寸法の２倍になっている。
【００３２】
箱形ブロック３０には、側板３２が箱内側へ凹状となる入江部３８が形成されている。入江部３８は、幅方向（矢印Ｌ方向）の２側面に３箇所ずつと、奥行方向（矢印Ｗ方向）の２側面に１箇所ずつで、合計８箇所形成されている。この入江部３８が形成されることにより、側板３２に、箱形ブロック３０の外周面を構成する外側面部３８Ａ、幅方向Ｌの２側面に平面視で略コ字状の内側面部３８Ｂ、及び、奥行方向Ｗの２側面に平面視で弧状の湾曲面部３８Ｃが構成される。また、入江部３８には、上下方向に空間３８Ｒが構成され、幅方向Ｌの２側面に構成された空間３８Ｒの開口部３４側には、入江連結板３５が設けられている。入江連結板３５は、入江部３８において側板３２の下端を連結するように設けられている。入江連結板３５には、穴３５Ａが構成されている。
【００３３】
側板３２の上下方向の開口部３４側には、板面が折返部３４Ａと略直交するように板状のリブ３６が設けられている。本実施形態では、側板３２の四角に１つずつ、奥行方向Ｗに形成された入江部３８の側板３２に１つずつ、奥行方向Ｗの入江部３８が構成されていない部分（凸状の部分）に１つずつ、幅方向Ｌの入江部３８が構成されていない部分（凸状の部分）に２本ずつ、合計２６本設けられている。なお、リブ３６は、他の位置に設けてもよいし、２６本よりも少ない数だけ設けてもよい。
【００３４】
底板４０には、対称線ＣＬ１に沿って細長く延在する略長方形のセンター板部４２が形成されると共に、センター板部４２から外側面部３８Ａの端部へ延出する蓋板部４４が一体的に形成されている。これらの蓋板部４４は、入江部３８が構成されていない部分の底板４０として、箱形ブロック３０の他面側をそれぞれ閉止している。
【００３５】
蓋板部４４は、センター板部４２よりも箱形ブロック３０の外側に突出した位置に配置されている。これにより、底板４０には、センター板部４２における奥行方向Ｗの両端に、幅行方向Ｌに沿って立壁部４３が形成されている。り、これら立壁部４３は、それぞれセンター板部４２に対して略直角に立ち上がって、その上端が蓋板部４４の上面と一致している。
【００３６】
箱形ブロック３０では、その側板３２に入江部３８が形成されることにより、側板３２により角部が多数構成され、角部が外部荷重に対して補強リブとして機能し、側板３２が凹凸の形成されていない平板状に形成されている場合と比較し、外部荷重に対して高い強度が確保されている。
【００３７】
底板４０のセンター板部４２には、幅方向Ｌに沿って４個の開口部４２Ｂが矩形状に形成され、蓋板部４４には、複数の開口部４４Ｂが形成されている。このように箱形ブロック３０に形成された、開口部４２Ｂ、４４Ｂは、箱形ブロック３０内外への水の通水性を良好としており、これにより、箱形ブロック３０により構成される充填構造体１８内外への水の通水性も良好になる。
【００３８】
また、蓋板部４４のうち、箱形ブロック３０の四角に設けられた４つには、上下連結穴４４Ａが形成されている。上下連結穴４４Ａは、図８に示されるように、外側に大径のテーパーＴが構成されている。
【００３９】
（水平補強部材の構成）
水平補強部材５０は、図５に示されるように、略長方形板状とされ、図６にも示されるように、本体となる同形状の板面部５２を備えている。板面部５２には、板面の各々の側から突出される、外周リブ５４、及び、補強リブ５６が形成されている。外周リブ５４は、板面部５２の外周に沿って形成され、幅方向Ｌ及び奥行方向Ｗの中央部に隙間Ｓが構成されている。補強リブ５６は、平面視で外周部５６Ａが箱形ブロック３０の開口部３４に沿った形状とされており、外周部５６Ａの内側に、奥行方向Ｗに延びる複数の直線状のリブと、幅方向Ｌに延びる複数の直線状のリブとで格子状に形成されている。補強リブ５６は、奥行方向Ｗ及び幅方向Ｌにおいて、外周部５６Ａの一方側から対向する他方側へ架けて連続する形状とされている。
【００４０】
水平補強部材５０の外周リブ５４と外周部５６Ａとの間には、箱形ブロック３０の開口部３４を嵌め込んで箱形ブロック３０を保持する保持溝５８が構成されている。保持溝５８の幅方向Ｌに沿って形成された入江部３８に対応する部分には、入江連結板３５を嵌め込み可能な入江保持部５８Ａが構成されている。入江保持部５８Ａには、入江連結板３５の穴３５Ａに対応する位置に穴５８Ｂが構成されている。保持溝５８の奥行方向Ｗに沿って形成された入江部３８に対応する部分には、外側板部５８Ｃが構成されている。外側板部５８Ｃには、穴５８Ｄが構成されている。
【００４１】
（下段ブロック群及び上段ブロック群）
図６に示されるように、下段ブロック群６０は、複数の箱形ブロック３０が開口部３４を上向きにして水平方向の縦横に並べられて構成されている。上段ブロック群６２は、複数の箱形ブロック３０が開口部３４を下向きにして水平方向の縦横に並べられて構成されている。下段ブロック群６０と上段ブロック群６２の間には、水平補強部材５０が配置されている。図７に示されるように、下段ブロック群６０の個々の箱形ブロック３０は、開口部３４が水平補強部材５０の一方面側（下面側）の保持溝５８に嵌め込まれて板面部５２に当接され、水平方向の移動が規制されて保持される。また、上段ブロック群６２の個々の箱形ブロック３０についても、開口部３４が水平補強部材５０の他方面側（上面側）の保持溝５８に嵌め込まれて板面部５２に当接され、水平方向の移動が規制されて保持される。
【００４２】
図９に示されるように、水平方向に隣り合う、水平補強部材５０同士は、水平連結具６４により連結されている。水平連結具６４は、長尺の板部材の両端が略直角に屈曲されて屈曲部６４Ａが形成された形状とされている。奥行方向Ｗに隣り合う水平補強部材５０同士について、図９（Ａ）に示されるように、水平連結具６４は、箱形ブロック３０上に水平補強部材５０が配置された状態で、一方の屈曲部６４Ａが水平補強部材５０の穴５８Ｂ及び箱形ブロック３０の穴３５Ａを上側から貫通するように、他方の屈曲部６４Ａが水平補強部材５０の穴５８Ｂ及び奥行方向Ｗに隣接する箱形ブロック３０の穴３５Ａを上側から貫通するようにして、取り付けられる。
【００４３】
また、幅方向Ｌに隣り合う水平補強部材５０同士について、図９（Ｂ）に示されるように、水平連結具６４は、幅方向Ｌに隣接する箱形ブロック３０の湾曲面部３８Ｃの外側に構成される凹部及び水平補強部材５０の穴５８Ｄを上側から貫通するようにして、取り付けられる。
【００４４】
これにより、奥行方向Ｗ、及び、幅方向Ｌに隣り合う、水平補強部材５０同士は互いに離れる方向の移動が規制され、連結されている。なお、水平連結具６４は、奥行方向Ｗ、または、幅方向Ｌの一方のみに設けられていてもよい。
【００４５】
図１０に示されるように、上段ブロック群６２の上には、さらに下段ブロック群６０、水平補強部材５０、上段ブロック群６２が、順次積層される。下段ブロック群６０の上段ブロック群６２への積層は、箱形ブロック３０の蓋板部４４同士が重ねられて行われ、上下の箱形ブロック３０同士は、上下連結具６６で連結されている。上下連結具６６は、図８にも示されるように、略円錐状の挿入部６６Ａが鍔部６６Ｂを挟んで底部で突き合わされて構成されている。
【００４６】
上下の箱形ブロック３０同士を連結するときには、まず、一方の挿入部６６Ａ側を、上段ブロック群６２の箱形ブロック３０の上下連結穴４４Ａに上側から挿入する。すると、上下連結具６６は、鍔部６６Ｂがテーパー部Ｔにより支持されて、上半分が蓋板部４４から上へ突出された状態となる。この上下連結具６６の突出部分（上半分）を、下段ブロック群６０の箱形ブロック３０の上下連結穴４４Ａに挿入して、箱形ブロック３０を積層する。これにより、上下の箱形ブロック３０が、連結される。
【００４７】
（充填構造体及び雨水貯留槽の構築方法）
次に、遮水保護層１６により内表面が覆われたピットＰ内に充填構造体１８を構築する方法について説明する。箱形ブロック３０を用いて充填構造体１８を構築する際には、遮水保護層１６を介して箱形ブロック３０を並べる。
【００４８】
充填構造体１８を構築する作業者は、充填構造体１８の最下層（第１段目）となる下段ブロック群６０を配置する。下段ブロック群６０は、複数個の箱形ブロック３０を、開口部３４が上向きとなり、また、幅方向Ｌと奥行方向Ｗが同方向となるようにして、互いに接するように配列し、ピットＰの底面全体を覆って構成する。
【００４９】
次いで、作業者は、下段ブロック群６０の上に箱形ブロック３０と同数の水平補強部材５０を配置する。水平補強部材５０は、下側の保持溝５８に箱形ブロック３０の開口部３４を嵌め込みつつ配置する。そして、幅方向Ｌ、奥行方向Ｗに隣り合う水平補強部材５０同士を、水平連結具６４で連結する。
【００５０】
次いで、作業者は、水平補強部材５０の上に、上段ブロック群６２を積層配置する。上段ブロック群６２は、複数個の箱形ブロック３０を、開口部３４が下向きとなり、また、下段ブロック群６０の各々の箱形ブロック３０と開口部３４を対応させて、水平補強部材５０の上側の保持溝５８に箱形ブロック３０の開口部３４を嵌め込みつつ配置する。
【００５１】
次いで、作業者は、上段ブロック群６２の上に、下段ブロック群６０を積層配置する。下段ブロック群６０は、複数個の箱形ブロック３０を、開口部３４が上向きとなり、また、上段ブロック群６２の各々の箱形ブロック３０と蓋板部４４を対応させて積層する。このとき、蓋板部４４を挟んで上下の箱形ブロック３０同士を、上下連結具６６で連結する。
【００５２】
さらに、その上に、前述と同様にして、水平補強部材５０、上段ブロック群６２、下段ブロック群６０を繰り返し積層配置し、ピットＰ（雨水貯留槽１０）の深さに応じた段数だけ積み上げることにより、ピットＰ内に充填構造体１８が構築される。
【００５３】
作業者は、ピットＰ内に充填構造体１８を構築した後、充填構造体１８の上面側を遮水シート２０により隙間なく覆うと共に、必要な配管作業等を行った後に、充填構造体１８の上側を土により埋め戻して覆土層２２を形成する。また敷地の地表面は、必要に応じてコンクリート、アスファルト等の舗装材により舗装され、又はブロック等が敷きつめられる。
【００５４】
（雨水貯留槽の作用）
次に、上記のように構成された雨水貯留槽１０の作用について説明する。
【００５５】
雨水貯留槽１０が設置された敷地では、雨が降ると敷地の地表面から流入桝１２内に雨水が一旦流入し、流入桝１２内に蓄えられた雨水が流入管２６を通して雨水貯留槽１０内へ流入する。このとき、流入桝１２内の水位がオーバフロー管２８の接続部よりも高くなると、流入桝１２内の雨水がオーバフロー管２８を通して流出桝１４へ直接流れ出し、流入桝１２から雨水が溢れることを防止している。
【００５６】
雨水貯留槽１０内へ流入した雨水は、雨水貯留槽１０と流出桝１４との間に設けられたオリフィス（図示省略）を通して雨水貯留槽１０から流出桝１４へ流れ出る。オリフィスは、雨水の流通量が流出桝１４に接続されたオリフィス管２５における雨水の流通量とバランスするように、水の流通量を制限している。また雨水貯留槽１０からの雨水の流出量を超える雨水が雨水貯留槽１０内へ継続的に流れ込み、雨水貯留槽１０が満水近くになると、雨水貯留槽１０内の雨水が流出桝１４内へオーバフローし、雨水貯留槽１０内から雨水が溢れることが防止される。
【００５７】
流出桝１４内へ流入した雨水は、オリフィス管２５を通して通水管、排水用の暗渠、下水道等の排水経路へ流れ出し、最終的に河川、海等へ放流される。またオリフィス管２５における雨水の流通量を超える雨水が流出桝１４内へ継続的に流れ込み、流出桝１４が満水近くになると、流出桝１４内の雨水がオーバフロー管２７を通って排水経路へ流れ出し、流出桝１４内から雨水が溢れることが防止される。
【００５８】
上記のような雨水貯留槽１０によれば、その内容積を敷地面積に応じて設定することにより、敷地に降った雨が地表面から直接、河川、下水等へ流れ込むことがなくなり、敷地面積に対応する量の雨水を雨水貯留槽１０内へ一旦蓄えた後、雨水を雨水貯留槽１０内から序々に雨水が河川、下水等へ流出させることができるので、短時間に多量の雨が降った場合（集中豪雨時）にも、河川、下水に許容流水量を超える雨水が流れる込むことを防止し、冠水、河川の氾濫等の水害を引き起こすことを効果的に防止できる。
【００５９】
また、本実施形態では、水平補強部材５０を設けているので、中空の箱形ブロック３０の開口部３４における、水平方向の強度を補強することができ、水平方向の土圧に対する潰れを抑制することができる。
【００６０】
また、本実施形態では、水平補強部材５０の補強リブ５６が、箱形ブロック３０の開口部３４内側に対応する部分の一端辺から他端辺に架けて形成されているので、開口部３４の対向面が支持され、水平方向の土圧に対する開口部３４の潰れを、効果的に抑制することができる。
【００６１】
また、本実施形態では、水平補強部材５０の補強リブ５６が、箱形ブロック３０の開口部３４内側に対応する部分で格子状に形成されているので、バランスよく水平方向の土圧を受けることができる。
【００６２】
また、本実施形態では、水平補強部材５０が板面部５２を有しているので、水平補強部材の全体が網目状のリブで形成されている場合と比較して、鉛直方向の土圧に対する強度も維持することができる。
【００６３】
また、本実施形態に係る雨水貯留槽１０を構成する充填構造体１８は、上下方向に箱形ブロック３０の開口部３４同士が向き合うように、または、箱形ブロック３０の蓋板部４４同士が向き合うように積層している。したがって、上下の箱形ブロック３０の境界部分において、鉛直方向の圧力に対する強度を高くすることができる。また、蓋板部４４同士が向き合うように積層された境界部分では、水平補強部材が不要となり、部材点数を減らすことができる。
【００６４】
また、本実施形態では、水平補強部材５０は、１個の箱形ブロック３０の開口部３４に対応した長方形板状で一体的に構成したが、図１１に示すように、長手方向の中央で２分した２部材で構成してもよい。
【符号の説明】
【００６５】
１０   雨水貯留槽
２０  遮水シート
３０   箱形ブロック
３４   開口部
３８   入江部
５０   水平補強部材
５２   板面部
５４   外周リブ
５６   補強リブ
６０   下段ブロック群
６２   上段ブロック群
６４   水平連結具
６６   上下連結具
Ｐ     ピット
【図１】
2012052349.tif 000003
【図２】
2012052349.tif 000004
【図３】
2012052349.tif 000005
【図４】
2012052349.tif 000006
【図５】
2012052349.tif 000007
【図６】
2012052349.tif 000008
【図７】
2012052349.tif 000009
【図８】
2012052349.tif 000010
【図９】
2012052349.tif 000011
【図１０】
2012052349.tif 000012
【図１１】
2012052349.tif 000013